(57)【要約】【課題】  配膳車本体とカートとで構成される配膳車において、カートの操作性および断熱性を確保し、しかも機動性に優れた配膳を可能とする。【解決手段】複数台のカート４Ａ・４Ｂが収容されるカート収容室３を備えた配膳車本体２と、トレイＴが多段に支持される前記カート４Ａ・４Ｂとを有する配膳車において、配膳車本体２の前側には各カート４Ａ・４Ｂを配膳車本体２内に搭載するためのスロープ部５を備え、スロープ部５は、上面に前記カート４Ａ・４Ｂの車輪６を上方へ導く上り傾斜面７を有し、下面が床面Ｆに接地される水平面８となされたものであり、前記スロープ部５は、例えば、配膳車本体２の幅方向に伸びる方形板状であって、上り傾斜面７の頂部に水平面１０が延成され、更に水平面１０の端部に起立壁部２０等が形成され、該起立壁部２０が配膳車本体２の底部２ａに回動可能に軸支されている。【選択図】  図１
2019141513.tif 000002
【特許請求の範囲】
【請求項１】
配膳車本体と、配膳車本体内のカート収容室に収容されるカートとを備えた配膳車において、配膳車本体の前側には、上面に前記カートの車輪を上方へ導く上り傾斜面および下面が床面に接地される水平面を有するスロープ部が設けられ、前記カートの車輪を、前記スロープ部の上り傾斜面上に走行させることで、該上り傾斜面をカートが駆け上がって、前記カート収容室内にカートが収容されるようになされている、配膳車におけるカート搭載構造。
【請求項２】
カートがカート収容室内に収容される際に、カートの下部フレームがカート収容室内の底面上を摺動するようになされている、請求項１記載の配膳車におけるカート搭載構造。
【請求項３】
スロープ部は、その全体が配膳車本体の幅方向に伸びる略方形状であって、配膳車本体の前側下部に回動自在に軸支され、該軸支点から上方に跳ね上げ自在となされている、請求項１または請求項２記載の配膳車におけるカート搭載構造。
【請求項４】
スロープ部の上面には上り傾斜面に続く水平面が形成されている、請求項１〜請求項３のうちのいずれか一項記載の配膳車におけるカート搭載構造。
【請求項５】
配膳車本体がモータ制御によって回転する駆動輪を備えた、請求項１〜請求項４のうちのいずれか一項記載の配膳車におけるカート搭載構造。
【発明の詳細な説明】
【技術分野】
【０００１】
本発明は、病院や老人ホーム等で食事の提供を行う際に使用する配膳車におけるカート搭載構造に関する。
【背景技術】
【０００２】
病院等においては、食事を提供する際には、主食、主菜、副菜、汁物等の食品が盛られた食器を載置してなるトレイを多段に収容する配膳車が使用される。
【０００３】
より詳細には、病院等における調理加熱室で所定のメニューに基づいて前記食品が盛られた食器をトレイ上に配置し、該トレイを配膳車内に順次入れて、当該配膳車ごと病院等内の廊下を走行させて各部屋をまわり、前記配膳車内から前記食品が載ったトレイを取り出して配膳を行うのであるが、配膳数が多い場合には、前記トレイを多数収容し得る大型の配膳車が必要となる。
【０００４】
しかしながら、大型の配膳車は病院等内での移動操作が難しく、全ての部屋をまわるのに時間と労力を要するという問題があった。
【０００５】
そのため、このような問題に対処するために、配膳車を本体とカートとに分け、前記食品の冷蔵や加熱を行うための加熱・冷却設備を備えた重量のある配膳車本体については、移動させずに据え置きとし、配膳の際には前記トレイが多段に収容されたカートだけを移動するようにした配膳車も知られている。
【先行技術文献】
【特許文献】
【０００６】
【特許文献１】特開２０１１−７２７３８号公報
【特許文献２】特開２０１２−６５９１５号公報
【特許文献３】特開２０１４−５４４８７号公報
【発明の概要】
【発明が解決しようとする課題】
【０００７】
前述した配膳車本体とカートとに分割された配膳車の場合、配膳の際の移動はカートのみで済むため、配膳車全体を移動させる場合に比べて、操作性が向上する。しかしながら、前記カートを配膳車本体に接続したり、収納したりする際の構造が複雑であったり、配膳車本体に対してカートを正確に操作して一体化する必要があるため、毎日の朝食、昼食および夕食の際の繰り返し使用によって、故障や不具合が発生し易いという問題があった。
【０００８】
また、カートを配膳車本体の前面に当接させてカート内の食品を冷却・加熱する配膳車の場合、カート自体が外気と直接的に接触するため、カート自体の十分な断熱性を確保するために、カートの構成壁を分厚くする必要があり、そのためカート自体の重量増加を招き、これに伴ってカートの操作性が低下するという欠点があった。
【０００９】
本発明の目的は、配膳車本体とカートとで構成される配膳車において、カートの操作性および断熱性を確保し、しかも機動性に優れた配膳を可能とする配膳車におけるカート搭載構造を提供することにある。
【課題を解決するための手段】
【００１０】
請求項１記載の本発明は、配膳車本体と、配膳車本体内のカート収容室に収容されるカートとを備えた配膳車において、配膳車本体の前側には、上面に前記カートの車輪を上方へ導く上り傾斜面および下面が床面に接地される水平面を有するスロープ部が設けられ、前記カートの車輪を、前記スロープ部の上り傾斜面上に走行させることで、該上り傾斜面をカートが駆け上がって、前記カート収容室内にカートが収容されるようになされている配膳車におけるカート搭載構造である。
【００１１】
請求項２記載の本発明は、前記請求項１記載の配膳車におけるカート搭載構造について、カートがカート収容室内に収容される際に、カートの下部フレームがカート収容室内の底面上を摺動するようになされていることを特徴とする。
【００１２】
請求項３記載の本発明は、前記請求項１または請求項２記載の配膳車におけるカート搭載構造について、スロープ部は、その全体が配膳車本体の幅方向に伸びる略方形状であって、配膳車本体の下部に回動自在に軸支され、該軸支点から上方に跳ね上げ自在となされていることを特徴とする。
【００１３】
請求項４は、前記請求項１〜請求項３のうちのいずれか一項記載の配膳車におけるカート搭載構造について、スロープ部の上面には上り傾斜面に続く水平面が形成されていることを特徴とする。
【００１４】
請求項５記載の本発明は、前記請求項１〜請求項４のうちのいずれか一項記載の配膳車におけるカート搭載構造について、配膳車本体がモータ制御によって回転する駆動輪を備えたものである。
【発明の効果】
【００１５】
本発明によれば、配膳車本体の前側に設けられたスロープ部によって、カートが配膳車本体の前側から駆け上がって配膳車本体のカート収容室の床面上に載置されるため、カートの搭載が簡単に行え、そして、配膳車本体のカート収容室内に別途、カートを支持するための装置等を設ける必要がない。
【００１６】
すなわち、本発明によれば、前記カート収容室内にカートを搭載するための特別な構造を必要としないため、配膳車本体の構造を複雑化させることもない。そのため、配膳車本体全体を容易に製造することができるという利点もある。
【００１７】
この他、スロープ部が、配膳車本体の幅方向に伸びる略方形状であって、配膳車本体の下部に回動自在に軸支され、該軸支点から上方に跳ね上げ自在となされた本発明によれば、当該配膳車の移動時にはスロープ部を跳ね上げて移動させることができる。
【００１８】
また、スロープ部の上面に、前記上り傾斜面に続く水平面が形成された本発明によれば、前述したカートの下部フレームが、配膳車本体２のカート収容室３の底面上を摺動するため、更に容易にカートを搭載することができる。
【００１９】
更に、配膳車本体がモータ制御によって回転する駆動輪を備えた本発明によれば、配膳車本体にカートを複数台搭載する場合でも、移動が容易に行える。
【図面の簡単な説明】
【００２０】
【図１】本発明の実施形態に係る配膳車の正面図である。
【図２】同配膳車におけるスロープ部の拡大図である。
【図３】同配膳車における一方のカートの搭載状態を示す側面図である。
【図４】図３と同状態での平面図である。
【図５】両カートの搭載状態を示す側面図である。
【発明を実施するための形態】
【００２１】
次に、本発明の実施形態を図面にしたがって説明するが、本発明はかかる実施形態に限定されるものではない。
【００２２】
図１〜図３に示すように、本実施形態に係る配膳車１は、後述する二台のカート４Ａ・４Ｂが収容されるカート収容室３を備えた配膳車本体２と、トレイＴが多段に支持される前記二台のカート４Ａ・４Ｂとを有する。
【００２３】
そして、配膳車本体２の前側には前記各カート４Ａ・４Ｂを配膳車本体２内に搭載するためのスロープ部５を有する。スロープ部５は、上面に前記カート４Ａ・４Ｂの車輪６を上方へ導く上り傾斜面７を有し、下面が床面Ｆに接地される水平面２８となされたものである。本実施形態では、前記スロープ部５は、配膳車本体２の幅方向に伸びる方形板状であって、上り傾斜面７の頂部に水平面１０が延成され、更に水平面１０の端部に起立壁部２０が形成され、該起立壁部２０が配膳車本体２の底部２ａに回動可能に軸支されている。
【００２４】
そして、前記各カート４Ａ・４Ｂは、その車輪６を前記スロープ部５の上り傾斜面７上を走行させることで該上り傾斜面７を駆け上がって、前記カート収容室３Ａ・３Ｂ内に収容されるようになされている。
【００２５】
また、前記配膳車本体２は、前述したカート収容室３を有する他、下面の一端寄り部分に自在輪２６Ａを有し、同下面の他端寄り部分にはモータＭによって回転される駆動輪２６Ｂを備え、所謂、自走式となされている。この他、配膳車本体１は前記カート収容室３内を冷蔵するための冷却装置や過熱蒸気等の加熱媒体を発生させる加熱装置（いずれも図示せず）を有する。
【００２６】
前記カート４Ａ・４Ｂは、車輪６を有する底部フレーム８と、底部フレーム８の各隅部に立設された支柱９と、支柱９上に架設された上部フレーム１１と、上部フレーム１１と底部フレーム８との間における幅中央部分において、縦方向に列設された仕切り壁１２を有する。仕切り壁１２は、この種配膳車に一般的に組み込まれているものと同様、上下に隣り合う仕切り壁１２間にトレイＴを差し込むことで該トレイＴが多段に支持される構造となっている。
【００２７】
次に、図３〜図５に示すように、本実施形態に配膳車１の使用方法について説明すると、例えば一方のカート４Ａを、配膳車本体２前側のスロープ部５を駆け上がらせることで、カート４Ａが床面Ｆから離れて配膳車本体２のカート収容室３内に収容されると共に、カート４Ａ・４Ｂの底部フレーム８が配膳車本体２のカート収容室３の底面ＲＢ上に当接するようになされている。その結果、前記カート４Ａは、もう一方のカート４Ｂよりも上位の状態でカート収容室３内に収容される。更にもう一方のカート４Ｂについても、前記と同様に配膳車本体２前側のスロープ部５を駆け上がらせることで、カート４Ｂが床面Ｆから離れて配膳車本体２のカート収容室３内に収容される。その結果、二台のカート４Ａ・４Ｂは配膳車本体２のカート収容室３内に搭載され、次に、スロープ部５をその軸支点ＣＰから上方に回動させて跳ね上げた後、この状態で配膳車本体２下側のモータＭを作動させて当該配膳車１全体を配膳場所近傍まで移動させ、次に、カート４Ａ・４Ｂを配膳車本体２のカート収容室３内から引き出して、該カート４Ａ・４Ｂを喫食者の所まで移動させて、カート４Ａ・４Ｂ内に収容された食品載置状態のトレイＴを取り出して配膳するのである。
【産業上の利用可能性】
【００２８】
本発明の配膳車におけるカート搭載構造によれば、配膳車本体のカート収容室を複雑化させることなく、容易にカートが搭載できるため、幅広い利用が期待できる。
【符号の説明】
【００２９】
１  配膳車
２  配膳車本体
３  カート収容室
４Ａ・４Ｂ  カート
５  スロープ部
６  車輪
７  スロープ部の上り傾斜面
８  カートの底部フレーム
９  カートの支柱
１０  スロープ部の水平面
【図１】
2019141513.tif 000003
【図２】
2019141513.tif 000004
【図３】
2019141513.tif 000005
【図４】
2019141513.tif 000006
【図５】
2019141513.tif 000007